(57)【要約】【課題】夜間沸上げを適切に行って追焚き時の湯切れを抑制すると共に、消費電力の低減を図ることが可能な貯湯式給湯システムを提供する。【解決手段】貯湯式給湯システムは、タンクに溜めた湯の浴槽内への湯張りと、浴槽の浴槽水の追焚きとを行う。貯湯式給湯システムは、水を沸上げ温度まで加熱して湯にし、湯をタンク内へ貯留する沸上げ回路と、制御手段とを備える。制御手段は、沸上げ回路を用いて夜間に行う夜間沸上げを行ってから湯張りが行われるまでの時間帯に追焚きが行われるか否か、を予測し、予測結果に基づいて、夜間沸上げ時における沸上げ温度を決定する。【選択図】図４
2020169730.tif 000002
【特許請求の範囲】
【請求項１】
タンクに溜めた湯の浴槽内への湯張りと、前記浴槽の浴槽水の追焚きとを行う貯湯式給湯システムであって、
水を沸上げ温度まで加熱して湯にし、前記湯を前記タンク内へ貯留する沸上げ回路と、
制御手段とを備え、
前記制御手段は、前記沸上げ回路を用いて夜間に行う夜間沸上げを行ってから前記湯張りが行われるまでの時間帯に追焚きが行われるか否か、を予測し、予測結果に基づいて、前記夜間沸上げ時における前記沸上げ温度を決定する貯湯式給湯システム。
【請求項２】
前記制御手段は、前記時間帯に追焚きが行われると予測した場合、前記沸上げ温度を高温に決定し、前記時間帯に追焚きが行われないと予測した場合、前記沸上げ温度を前記高温よりも低い中温に決定する請求項１記載の貯湯式給湯システム。
【請求項３】
前記中温は、ユーザーの設定する給湯用設定温度に、予め設定した裕度を加えた温度である請求項２記載の貯湯式給湯システム。
【請求項４】
前記高温は、予め設定された温度に設定されるか、又は、前記時間帯に予測される追焚き負荷を、前記タンクの上部領域の容量で賄うという条件で求めた温度に基づいて設定される請求項２又は請求項３記載の貯湯式給湯システム。
【請求項５】
前記制御手段は、前記夜間沸上げ時において、前記浴槽の水位が予め設定された水位以下の場合、前記時間帯に追焚きは行われないと予測する請求項１〜請求項４の何れか一項に記載の貯湯式給湯システム。
【請求項６】
予め設定された設定時刻から湯張りまでの間の追焚き負荷を学習する機能を備え、
前記制御手段は、前記夜間沸上げにおいて、前記追焚き負荷の学習結果が予め設定した設定負荷以下であれば、前記時間帯に追焚きは行われないと予測する請求項１〜請求項４の何れか一項に記載の貯湯式給湯システム。
【請求項７】
前記浴槽の排熱を前記タンク内に回収する排熱回収回路を備え、
前記制御手段は、前記夜間沸上げ時において、前記排熱回収回路を用いた前記浴槽の排熱回収が実施済みであれば、前記時間帯に追焚きは行われないと予測する請求項１〜請求項４の何れか一項に記載の貯湯式給湯システム。
【請求項８】
前記制御手段は、湯張り後に行う追加沸上げ時の沸上げ温度を、前記湯張り後に発生すると予測される追焚き負荷を、前記タンクの上部領域の容量で賄うという条件で求めた温度に基づいて決定する請求項１〜請求項７の何れか一項に記載の貯湯式給湯システム。
【請求項９】
前記制御手段は、予め設定された殺菌処理タイミングとなると、前記予測結果にかかわらず、前記夜間沸上げ時に、殺菌温度以上の温度を前記沸上げ温度とした沸上げを行う請求項１〜請求項８の何れか一項に記載の貯湯式給湯システム。
【発明の詳細な説明】
【技術分野】
【０００１】
本発明は、浴槽への湯張り及び追焚きを行う貯湯式給湯システムに関する。
【背景技術】
【０００２】
貯湯式給湯システムは、負荷の発生に対して湯切れの生じることのないように、事前に沸上げ手段により生成された湯水をタンクに溜めておき、当該タンクの湯を用いて負荷を賄うシステムである。また、貯湯式給湯システムは、タンク内の湯を浴槽に導いて湯を張る湯張りと、タンク内の高温の湯を浴槽の冷めた湯と熱交換して昇温させる追焚きとを行う。そして、貯湯式給湯システムは、湯張り及び追焚きの熱負荷に対しても熱量不足とならないように、事前に沸上げ手段によりタンクに熱を溜めておくシステムである。
【０００３】
この種の湯張り及び追焚きを行う貯湯式給湯システムとして、例えば特許文献１がある。特許文献１では、過去の湯の使用実績に基づく学習結果に基づいて、一日の湯の使用量が多いか否かを判断するようにしている。そして、一日の湯の使用量が多いと判断した場合、電気料金が昼間よりも安価な夜間の夜間沸上げ時の沸上げ温度を高くし、一日の湯の使用量が少ないと判断した場合、沸上げ温度を低くしている。
【先行技術文献】
【特許文献】
【０００４】
【特許文献１】特開２００６−２３０６４号公報
【発明の概要】
【発明が解決しようとする課題】
【０００５】
特許文献１では、一日の湯の使用量が多いか否かを判断しているが、具体的にどのように判断しているのか明かにされていない。一日の湯の使用量を、予め設定された設定使用量と比較して判断しているとするならば、設定使用量の設定が適切でないと、追焚き時に湯切れが生じる可能性がある。
【０００６】
また、貯湯式給湯システムでは、消費電力の低減を図ることが重要課題とされており、更なる改善が求められている。
【０００７】
本発明は、上記のような課題を解決するためになされたもので、夜間沸上げを適切に行って追焚き時の湯切れを抑制すると共に、消費電力の低減を図ることが可能な貯湯式給湯システムを提供することを目的とする。
【課題を解決するための手段】
【０００８】
本発明に係る貯湯式給湯システムは、タンクに溜めた湯の浴槽内への湯張りと、浴槽の浴槽水の追焚きとを行う貯湯式給湯システムであって、水を沸上げ温度まで加熱して湯にし、湯をタンク内へ貯留する沸上げ回路と、制御手段とを備え、制御手段は、沸上げ回路を用いて夜間に行う夜間沸上げを行ってから湯張りが行われるまでの時間帯に追焚きが行われるか否か、を予測し、予測結果に基づいて、夜間沸上げ時における沸上げ温度を決定するものである。
【発明の効果】
【０００９】
本発明によれば、夜間沸上げを行ってから湯張りが行われるまでの時間帯に追焚きが行われるか否か、を予測した結果に基づいて、夜間沸上げ時における沸上げ温度を決定する。このように、追焚きの発生状況の予測に応じて沸上げ温度を決定することで、追焚き時の湯切れを抑制できる。また、沸上げ温度を一定にする場合よりも、追焚きの発生状況の予測に応じて沸上げ温度が決定することで、沸上げ温度を適切に設定でき、消費電力の低減が可能となる。
【図面の簡単な説明】
【００１０】
【図１】実施の形態１に係る貯湯式給湯システムの構成図である。
【図２】実施の形態１に係る各貯湯式給湯システム内の信号の流れを表すブロック図である。
【図３】実施の形態１に係る貯湯式給湯システムの使用状況のタイムチャートの一例である。
【図４】実施の形態１に係る貯湯式給湯システムの動作を示すフローチャートである。
【図５】実施の形態２に係る貯湯式給湯システムにおける沸上げ動作を示すフローチャートである。
【発明を実施するための形態】
【００１１】
実施の形態１．
実施の形態１に係る構成、動作及び効果について図１、図２、図３及び図４を用いて説明する。
【００１２】
≪機器構成≫
図１は、実施の形態１に係る貯湯式給湯システムの構成図である。
本実施の形態１における貯湯式給湯システムは、縦長のタンク１、沸上げ手段２、沸上げポンプ３１、追焚きポンプ３２、浴槽ポンプ３３、湯栓温調弁４１、中高温混合弁４２、熱交換回路切替弁４３及び追焚き熱交換器５を備えている。貯湯式給湯システムは更に、沸上げ往き配管３０１ａと、沸上げ戻り配管３０１ｂと、給水配管３０２と、高温導出配管３０３と、中間導出配管３０３ｂと、温調配管３０４及び湯栓配管３０５を備えている。貯湯式給湯システムは更に、浴槽往き配管３０６ａ、浴槽戻り配管３０６ｂ、追焚き往き配管３０７ａ、追焚き戻り配管３０７ｂ、排熱回収用配管３０７ｃ及び制御手段１００等を備えている。
【００１３】
タンク１には、湯水が溜められる。沸上げ手段２は、タンク１内の水を沸上げる。この沸上げ手段２は、例えばヒートポンプを用いて構成される。また沸上げ手段２は例えばインバータ制御等を用いて沸上げ能力を可変に設定できるように構成される。またヒートポンプに用いられる冷媒は、高温出湯に適したＣＯ２でもよいが、本実施の形態１に特徴的な運転において運転効率を高めるために、冷媒の超臨界状態を用いない冷媒、例えば一般的なフロン系冷媒、プロパン又はイソブタン等の冷媒でもよい。
【００１４】
湯栓温調弁４１は、タンク１内の温水と、例えば市水等の冷水とを混合し、シャワー等の湯栓から直接放出する給湯負荷に供給する湯の温度を調節する。中高温混合弁４２は、タンク上部及び中間部の一方からの水、又は、混合した水を、湯栓温調弁４１の高温側ポートに送る。追焚き熱交換器５は、浴槽６内の浴槽水を加熱する追焚きのときにタンク上部の高温水と浴槽６の湯を熱交換する。浴槽６には、入浴用の例えば約４０℃の湯が溜められる。熱交換回路切替弁４３は、タンク１から追焚き熱交換器５に送る水のタンク１からの出口をタンク１の上部又は下部に切り替える。
【００１５】
沸上げ往き配管３０１ａは、タンク下部の水を沸上げ手段２に導く。沸上げ戻り配管３０１ｂは、沸上げ手段２で沸上げた湯をタンク上部に導く。沸上げ往き配管３０１ａ及び沸上げ戻り配管３０１ｂは、沸上げ手段２及び沸上げポンプ３１と共に、水を沸上げ温度まで加熱して湯にし、湯をタンク１内へ貯留する沸上げ回路２０を構成している。
【００１６】
給水配管３０２は、タンク下部に市水等の冷水を導く。高温導出配管３０３は、タンク上部から高温水を導出して中高温混合弁４２に導く。中間導出配管３０３ｂは、タンク１の中間部から温水を導出して中高温混合弁４２に導く。温調配管３０４は、給水配管３０２から分岐して湯栓温調弁４１に低温水を導く。湯栓配管３０５は、湯栓温調弁４１にて温調された湯を、使用される湯栓に導く。
【００１７】
浴槽戻り配管３０６ｂは、浴槽６内の水を追焚き熱交換器５に導く。浴槽往き配管３０６ａは、追焚き熱交換器５で昇温された湯を浴槽６に導く。追焚き往き配管３０７ａは、タンク上部の高温水を追焚き熱交換器５に導く。追焚き戻り配管３０７ｂは、追焚き熱交換器５で浴槽６からの水と熱交換して冷めた湯をタンク１の中間導出配管３０３ｂより高い位置に導く。
【００１８】
排熱回収用配管３０７ｃは、浴槽６の排熱をタンク１に回収する際に、タンク下部から低温水を導出して熱交換回路切替弁４３に導く。排熱回収用配管３０７ｃは、熱交換回路切替弁４３と共に、浴槽６の排熱をタンク１内に回収する排熱回収回路３０を構成している。
【００１９】
沸上げポンプ３１は、比較的低温な沸上げ往き配管３０１ａの途中に接続される。追焚きポンプ３２は、比較的低温な追焚き戻り配管３０７ｂの途中に接続される。浴槽ポンプ３３は、比較的低温な浴槽戻り配管３０６ｂの途中に接続される。
【００２０】
制御手段１００は、沸上げ手段２、沸上げポンプ３１、追焚きポンプ３２、浴槽ポンプ３３、湯栓温調弁４１及び中高温混合弁４２、の動作を制御する。
【００２１】
また、タンク１には、高さ方向に間隔をおいて、貯湯温度センサ５０１ａ〜貯湯温度センサ５０１ｆが設けられる。なお、ここでは、貯湯温度センサの個数が６個の場合を説明するが、本発明はこれに限るものではなく、タンク１の内部の温度分布を測るのに充分な数の温度センサを設けるようにしてもよい。沸上げ戻り配管３０１ｂには、沸上げ手段２にて沸上げた水の温度を検出する沸上げ温度センサ５０２が設けられる。給水配管３０２には、給水温度を検出するための給水温度センサ５０４が設けられる。タンク上部には、タンク上部から導出される高温水の温度を検出する上部導出温度センサ５０３ａが設けられる。
【００２２】
給湯用中間導出部には、タンク中間部から給湯用に導出される温水の温度を検出する中間導出温度センサ５０３ｂが設けられる。湯栓配管３０５には、湯栓に供給される湯温を検出する湯栓温度センサ５０５が設けられる。浴槽往き配管３０６ａは、追焚き熱交換器５から浴槽６に流れ込む浴槽往き温度を検出する浴槽往き温度センサ５０６ａが設けられる。浴槽戻り配管３０６ｂには、浴槽６から追焚き熱交換器５に流れ込む浴槽戻り温度を検出する浴槽戻り温度センサ５０６ｂが設けられる。なお、浴槽戻り温度センサ５０６ｂは、定期的に浴槽ポンプ３３を運転させることにより、浴槽６内の浴槽水を浴槽戻り配管３０６ｂに通過させて浴槽温度を検出する手段として利用してもよい。
【００２３】
追焚き戻り配管３０７ｂには、追焚き熱交換器５からタンク１に戻る湯の温度を検出する追焚き戻り温度センサ５０７が設けられる。湯栓配管３０５には、負荷側で使用される湯量を検出する湯栓流量センサ６０１が設けられる。
【００２４】
図２は、実施の形態１に係る各貯湯式給湯システム内の信号の流れを表すブロック図である。
図２に示すように、制御手段１００は、目標温度設定手段１０１、ポンプ制御手段１０２、弁制御手段１０３、沸上げ制御手段１０４、蓄熱量算出手段１０５、及び、必要熱量予測手段１０６等を有する。
【００２５】
制御手段１００には、時刻検出手段であるタイマー、貯湯温度センサ５０１ａ〜貯湯温度センサ５０１ｆ、沸上げ温度センサ５０２、上部導出温度センサ５０３ａ、中間導出温度センサ５０３ｂ、給水温度センサ５０４、湯栓温度センサ５０５、浴槽戻り温度センサ５０６ｂ、追焚き戻り温度センサ５０７、及び、湯栓流量センサ６０１からの情報が入力される。この制御手段１００は、入力されたこれらの情報に基づいて、沸上げ手段２、沸上げポンプ３１、追焚きポンプ３２、浴槽ポンプ３３、湯栓温調弁４１、中高温混合弁４２及び熱交換回路切替弁４３を制御する。
【００２６】
制御手段１００は、貯湯式給湯システム全体を統括制御するものであり、例えば、マイクロプロセッサユニット等で構成される。なお、制御手段１００の構成については、これに限定するものではない。例えば、制御手段１００は、ファームウェア等の更新可能なもので構成されていてもよい。また、制御手段１００は、プログラムモジュールであって、図示しないＣＰＵ等からの指令により、実行されるものであってもよい。
【００２７】
目標温度設定手段１０１は、主にユーザーによるマニュアル操作にて、湯栓からの給湯にてシャワー又は浴槽６に供給する湯の温度及び浴槽６を温調する際の目標浴槽温度を設定する。
【００２８】
ポンプ制御手段１０２は、沸上げポンプ３１、追焚きポンプ３２及び浴槽ポンプ３３、の回転数を制御し、ポンプ循環量を調節する。
【００２９】
弁制御手段１０３は、目標温度設定手段１０１で設定された目標温度に基づいて、湯栓温調弁４１から流出する湯が目標温度に近づくように湯栓温調弁４１の動作を制御する。また弁制御手段１０３は、中高温混合弁４２から湯栓温調弁４１の高温側ポートに送る水温が給湯用目標温度以上となるように、中高温混合弁４２の動作を制御する。
【００３０】
沸上げ制御手段１０４は、予測される追焚き用必要熱量に対してタンク１内の蓄熱量が不足しないように沸上げ手段２の運転を制御する。
【００３１】
蓄熱量算出手段１０５は、給湯に有効な蓄熱量の算出と、追焚きに有効な蓄熱量の算出とを行う。以下、それぞれの算出について順に説明する。
【００３２】
［給湯に有効な蓄熱量の算出］
蓄熱量算出手段１０５は、貯湯温度センサ５０１ａ〜貯湯温度センサ５０１ｆの情報に基づいてタンク１内の湯の有する蓄熱量の内で、給湯に有効な蓄熱量を算出する。給湯においては、タンク１内の湯の有する熱エネルギーを、混合によって市水に与える。このため、給湯に有効な熱エネルギーのゼロ点は、市水の給水温度である。ここで、ゼロ点とは、給湯エネルギー基準温度である。したがって、給水温度を熱エネルギーのゼロ点としてタンク容積に関して積分することにより、給湯に有効な蓄熱量が算出される。また、例えば給湯に有効な所定の温度である例えば４５℃以上の湯の領域に関してのみ積分して、給湯に有効な蓄熱量を算出してもよい。また、給湯に用いる湯を、給湯用中間導出部より下の領域から主に導出する場合、給湯用中間導出部より下の領域にて給湯に有効な蓄熱量を算出してもよい。
【００３３】
［追焚きに有効な蓄熱量の算出］
蓄熱量算出手段１０５は、貯湯温度センサ５０１ａ〜貯湯温度センサ５０１ｆの情報、及び、目標温度設定手段１０１で設定された目標温度に基づいて、タンク１内の湯の有する蓄熱量の内で、追焚きに有効な蓄熱量を算出する。
【００３４】
追焚きにおいて追焚き熱交換器５に送られた高温水は、追焚き熱交換器５にて浴槽系統に熱を供給して温度が低下し、追焚き戻り配管３０７ｂからタンク１に戻される。したがって、タンク１内の湯の有する熱エネルギーの内、追焚きにおいて有効に利用される熱エネルギーは、貯湯温度から追焚き戻り温度を減算した部分である。つまり、追焚き戻り温度センサ５０７で検出された追焚き戻り温度を、熱エネルギーの基準温度としてタンク容積に関して積分することにより、追焚きに有効な蓄熱量が求められる。なお、ここでは、タンク容積に関して積分するとしたが、給湯用中間導出部より上の領域の容積に関して積分するようにしてもよい。
【００３５】
また、追焚き戻り温度は、追焚き戻り温度センサ５０７で検出するとしたが、追焚き戻り温度センサ５０７を設けずに、導出温度、浴槽戻り温度、追焚きポンプ回転数、又は、浴槽ポンプ回転数等から推定してもよい。例えば、目標温度設定手段１０１からの情報と、浴槽戻り温度センサ５０６ｂの情報とに基づいて追焚き戻り温度を予測してもよい。他に例えば、浴槽温度を目標浴槽温度で一定と仮定し、その浴槽温度に、追焚き熱交換器５の性能に依存した設定値を加えた温度を追焚き戻り温度としてもよい。また、浴槽温度を、現在の浴槽温度と目標浴槽温度との平均値で一定と仮定し、その浴槽温度に、追焚き熱交換器５の性能に依存した設定値を加えた温度を追焚き戻り温度としてもよい。
【００３６】
必要熱量予測手段１０６は、給湯負荷に対して湯切れを回避するために必要な蓄熱量（以下、湯切れ回避用必要熱量という）の予測と、追焚きに必要な蓄熱量（以下、追焚き用必要熱量という）の予測とを行う。以下、それぞれの予測方法について順に説明する。
【００３７】
［湯切れ回避用必要熱量の予測］
必要熱量予測手段１０６は、（ａ）ユーザーの過去の給湯負荷の実績に基づいて湯切れ回避用必要熱量を予測するか、又は、（ｂ）所定の設計値に湯切れ回避用必要熱量を設定する。
【００３８】
（ａ）ユーザーの過去の給湯負荷実績から湯切れ回避用必要熱量を予測する場合
必要熱量予測手段１０６は、タイマー、湯栓温度センサ５０５、及び、湯栓流量センサ６０１からの情報に基づいて、所定の時間幅ごとの給湯負荷実績を日々学習する。所定の時間幅とは例えば６分であり、６分ごとの負荷を、１日分である２４０区間分、学習する。そして、必要熱量予測手段１０６は、学習した給湯負荷実績を用いて、本システムの沸上げ能力による後述の同時運転を考慮して、湯切れ回避用必要熱量を予測する。ここで、同時運転とは、沸上げ手段２による「沸上げ」を行っている最中に、給湯又は追焚き等のユーザーによる「熱負荷」が発生する状況を指す。
【００３９】
具体的には、湯切れ回避用必要熱量は、「２４０区間のうちのＸ区間からＹ区間までの間における合計給湯負荷」から「Ｘ区間からＹ区間までの間において沸上げ手段２により沸上げ可能な熱量」を減算することによって求められる。例えば、ユーザーによる集中的な湯の使用、具体的には湯張りとシャワー２回とが、第１区間から第１０区間の１時間で行われたという学習結果があったとする。この場合、湯切れ回避用必要熱量は、「湯張り＋シャワー２回」分の熱量Ｑ１から、「沸上げ手段２が１時間で沸上げ可能な熱量Ｑ２」を減算した値Ｑ３である。つまり、湯切れを回避するためにタンク１に蓄えておく必要のある熱量は、熱量Ｑ３である。タンク１内の熱量がＱ３を下回った瞬間に、沸上げ手段２にて沸上げを開始することで、湯切れを回避できる。
【００４０】
また、「湯張り＋シャワー２回」分の熱量Ｑ１そのものをタンク１内に蓄えておくことでも、湯切れを回避できるため、必要熱量予測手段１０６は、熱量Ｑ１そのものを湯切れ回避用必要熱量として求めてもよい。また、２４０区間のうち、熱量Ｑ１が最大となる区間帯を特定し、特定された区間帯において湯切れを回避できる湯切れ回避用必要熱量として予測することで、信頼性の高いシステムを構築できる。
【００４１】
（ｂ）所定の設計値に基づいて湯切れ回避用必要熱量を設定する場合
必要熱量予測手段１０６は、多量の給湯負荷が予測される例えば１７時〜２３時の時間帯は、湯切れ回避用必要熱量を大きく設計し、それ以外の時間帯は小さく設計する。大きく設計する場合の湯切れ回避用必要熱量は、例えば、３００Ｌを４２℃にするための熱量とし、小さく設計する場合の湯切れ回避用必要熱量は、例えば５０Ｌを４２℃にするための熱量等とする。
【００４２】
［追焚き用必要熱量の予測］
必要熱量予測手段１０６は、（ａ）現在の浴槽６の温度及び湯量のうちの一方又は両方、又は、（ｂ）ユーザーの過去の追焚き実績、に基づいて追焚き用必要熱量を予測する。
【００４３】
（ａ）現在の浴槽６の温度及び湯量のうちの一方又は両方の情報に基づいて追焚き用必要熱量を予測する場合
必要熱量予測手段１０６は、現在の浴槽６の温度及び湯量のうちの一方又は両方の情報に基づいて追焚き負荷を算出し、追焚き負荷そのものを追焚き用必要熱量とする。追焚き負荷は、浴槽６の温度を現時点の温度から目標浴槽温度まで上昇させるのに必要な熱量である。よって、追焚き負荷は、浴槽６の湯量に、目標浴槽温度（例えば４０℃）と現時点の浴槽温度（例えば３０℃）との差と、密度（例えば１ｋｇ／Ｌ）と、比熱（例えば１ｋｃａｌ／ｇ℃）とを積算することで算出される。
【００４４】
追焚き負荷を算出する際の浴槽６の湯量には、例えば２００Ｌ等の一般的な値を使用してもよいし、ユーザーによってリモコンで設定された値を使用してもよい。また、湯栓配管３０５に流量計を設置し、流量の積算値を浴槽６の湯量としてもよい。また本システムにおいて、例えば浴槽戻り配管３０６ｂ内に圧力センサ等の水位検出手段を設け、水位から浴槽６の湯量を求めてもよい。すなわち、タンク１から浴槽６への積算流量と水位との相関を初期学習しておき、水位検出手段で検出した水位と学習結果とから浴槽６の湯量を求めてもよい。
【００４５】
（ｂ）ユーザーの過去の追焚き実績から追焚き用必要熱量を予測する場合
必要熱量予測手段１０６は、追焚き負荷実績を日々学習する。必要熱量予測手段１０６は、当該学習結果の過去所定期間内の追焚き負荷の最大値又は平均値を用いて、当日予測される追焚き負荷を予測し、予測した追焚き負荷そのものを追焚き用必要熱量とする。追焚き負荷の学習では、具体的には浴槽６の湯量と、追焚きの開始時と終了時との温度差とを学習する。また、浴槽戻り配管３０６ｂ或いは浴槽往き配管３０６ａを循環する流量と、追焚き熱交換器５の浴槽６側の系統の出入り口の温度差と、を学習してもよい。浴槽戻り配管３０６ｂ或いは浴槽往き配管３０６ａを循環する流量は、流量計で直接的に算出してもよいし、追焚きポンプ３２への制御信号から間接的に算出してもよい。
【００４６】
また、必要熱量予測手段１０６は、予測した追焚き負荷から、追焚き中に沸上げ手段２が沸上げ可能な熱量を減算した値を、追焚き用必要熱量としてもよい。
【００４７】
以上、本実施の形態１における貯湯式給湯システムの機器構成を説明した。
以下、本実施の形態１における貯湯式給湯システムの動作について説明する。
【００４８】
≪基本的な運転動作≫
まず、貯湯式給湯システムの基本的な運転動作を図１を参照して説明する。
【００４９】
[沸上げ動作]
タンク１にはタンク下部から給水配管３０２を通じて冷水を注入して溜められる。タンク下部の水が沸上げポンプ３１によって沸上げ往き配管３０１ａを通して沸上げ手段２に送られる。沸上げ手段２は水を沸上げて、高温水を生成する。高温水は、沸上げ戻り配管３０１ｂを通じてタンク上部に戻される。
【００５０】
[給湯動作]
タンク１に溜められた湯水は、湯が使用される負荷側の要求に応じて、高温導出配管３０３及び中間導出配管３０３ｂから流出し、湯栓温調弁４１の高温側ポートに送られる。湯栓温調弁４１は、給水配管３０２から分岐させた温調配管３０４を通じて水を導き、タンク１から導いた湯と混合させて適温とし、湯栓配管３０５を通じて蛇口、シャワー、或いは浴槽６等の負荷側へ供給する。ここで、本実施の形態１では、給湯時に、タンク中間部からの給湯を優先的に行うため、湯栓温調弁４１の高温側ポートには、タンク中間部の湯が優先して送られる。これは、タンク上部領域に、追焚き用の高温水を優先的に残すためである。ここで、タンク上部領域とは、タンク１の中間導出配管３０３ｂから上方の領域を指す。
【００５１】
［湯張り動作］
浴槽６に湯を張る湯張り動作は、基本的には湯栓出湯動作と同様である。湯張り指示があると、タンク１内に溜められた湯水が、高温導出配管３０３及び中間導出配管３０３ｂから流出し、湯栓温調弁４１の高温側ポートに送られる。湯栓温調弁４１は、浴槽往き温度センサ５０６ａで検出される温度が、ユーザーが設定した目標浴槽温度となるように、温調配管３０４から導いた水とタンク１から導いた湯とを混合させる。湯栓温調弁４１で温度調整された湯は、湯栓配管３０５を通じて浴槽６に供給される。そして、浴槽６に溜まった湯量が、ユーザーが設定した湯張り量に達した場合、ふろ給湯用電磁弁（図示せず）が閉じられて湯張り動作が終了する。
【００５２】
[追焚き動作]
追焚きでは、浴槽６に残る浴槽水を目標浴槽温度まで上昇させる。追焚きは、ユーザーの操作により強制的に或いは自動的に開始される。自動的に追焚きを開始する場合とは、例えば、浴槽戻り温度センサ５０６ｂによって定期的に検出される浴槽温度が、目標浴槽温度よりも所定量以上、低くなったときが該当する。
【００５３】
追焚きが開始されると、タンク１に溜められた湯が、追焚き往き配管３０７ａを通って、追焚き熱交換器５に送られる。ここで、本実施の形態１では、追焚き時に、タンク上部の高温水を優先して使用する。このため、熱交換回路切替弁４３がタンク上部側に切り替えられ、タンク上部の高温水が追焚き熱交換器５に送られる。またこのタイミングと概ね同時に、浴槽６に溜められた湯が、浴槽戻り配管３０６ｂを通って追焚き熱交換器５に導かれる。
【００５４】
追焚き熱交換器５で浴槽系統へ熱を与えて温度の低下したタンク系統の湯は、追焚き戻り配管３０７ｂを通ってタンク１に戻る。また、追焚き熱交換器５で熱を受け取って温度の上昇した浴槽系統の湯は、浴槽往き配管３０６ａを通って浴槽６に戻る。
【００５５】
追焚きの終了は、ユーザーの操作により強制的にあるいは自動的に行われる。自動的に追焚きを終了する場合とは、浴槽戻り温度センサ５０６ｂによって検出される浴槽温度が、目標浴槽温度よりも所定量以上大きくなったときが該当する。
【００５６】
≪本実施の形態１の特徴に係る構成及び動作≫
本実施の形態１に係る貯湯式給湯システムは、ユーザーの起床後の負荷発生に対応するため、夜間に沸上げ動作を行う。夜間とは、本例では昼間よりも電気代の安い時間帯を指し具体的にはＰＭ１１時〜ＡＭ７時の間の所謂深夜時間帯を指す。このように夜間に行う沸上げ動作を、以下では夜間沸上げという。夜間は、昼間よりも電気代が安いことから、従来は、夜間沸上げ時に沸上げ温度を高く設定し、夜間に集中して蓄熱を行っている。沸上げ手段２を構成するヒートポンプでは、沸上げ温度が高くなるほど、ヒートポンプ効率（以下、ＣＯＰという）が低下して消費電力が増大する。このため、従来のように夜間沸上げ時の沸上げ温度を高く設定すると、消費電力が増大する。
【００５７】
これを踏まえ、本実施の形態１では、夜間沸上げ時に、沸上げ温度をできるだけ低くすることで、消費電力の低減を図る。ここで、本実施の形態１は、追焚きに着目し、湯張りの前に追焚きが行われるか否かの予測結果を用いて、夜間沸上げ時の沸上げ温度を設定する点に特徴がある。以下、夜間沸上げ時の沸上げ温度の設定に関する基本的な考え方について説明する。
【００５８】
図３は、実施の形態１に係る貯湯式給湯システムの使用状況のタイムチャートの一例である。以下では、図３のタイムチャートに沿った例で説明を行う。図３は、夜間沸上げが毎日ＡＭ３時に行われる例である。なお、図３の左端のＡＭ３時が現在、すなわち夜間沸上げを行うタイミングであり、それ以降の追焚き及び湯張り等の時間はあくまでも予測であり、説明を分かりやすくするために示したものである。
【００５９】
まず、追焚きには、「湯張り後の追焚き」と「湯張り前の追焚き」とがある。湯張り後の追焚きとは、例えば一人目が入浴した後、二人目が入浴する前に、浴槽６内の湯の温度を目標浴槽温度まで上昇させるために行われる追焚きである。よって、湯張り後の追焚きは、浴槽６内の浴槽水の温度が、室温に比べてある程度高い状態から行われるため、追焚き用必要熱量は少なめである。
【００６０】
一方、湯張り前の追焚きは、夜間沸上げを行ってから湯張りが行われるまでの時間帯に行われる追焚きである。湯張り前の追焚きは、前夜の入浴後に浴槽６内に残された浴槽水を追焚きする場合が該当し、通常は浴槽水の温度が室温付近の温度まで下がった状態から行われる。図３の例では、湯張りがＰＭ９時に行われるとして、その日のＡＭ８時に朝風呂に入るため、前夜に浴槽６に残った浴槽水を追焚きする場合のその追焚きが、湯張り前の追焚きに該当する。
【００６１】
湯張り前の追焚きは、上述したように室温付近の温度からの追焚きとなるため、湯張り後の追焚きに比べて、追焚き用必要熱量が多くなる。よって、ＡＭ８時の「湯張り前の追焚き」が行われる日のＡＭ３時現在の夜間沸上げでは、「湯張り前の追焚き」が行われることを見越して、その分の蓄熱量を確保しておく必要がある。したがって、ＡＭ３時現在の夜間沸上げの際に、ＡＭ８時の「湯張り前の追焚き」の際に湯切れが発生しないことを目的として、沸上げ温度を高温に設定する。逆に、「湯張り前の追焚き」が行われない日のＡＭ３時現在の夜間沸上げでは、消費電力の低減を図るため、沸上げ温度を、高温よりも低い中温に設定する。
【００６２】
つまり、本実施の形態１では、夜間沸上げ時に、「湯張り前の追焚き」が行われるか否かを予測し、「湯張り前の追焚き」が行われると予測される場合には、夜間沸上げ時の沸上げ温度を高温に設定する。一方、「湯張り前の追焚き」が行われないと予測される場合には、夜間沸上げ時の沸上げ温度を中温に設定する。なお、「湯張り前の追焚き」が行われるか否かを予測する方法については後述する。
【００６３】
ここで、高温とは、例えば６５℃である。中温とは、例えば、ユーザーの設定する給湯用設定温度に、タンク１における放熱を考慮した裕度を加えた温度であり、具体的には例えば、給湯用設定温度が４０℃、裕度が５℃の場合、４５℃である。
【００６４】
図３の「湯張り後の追加沸上げ」と「湯張り前の追加沸上げ」については後述する。
【００６５】
図４は、実施の形態１に係る貯湯式給湯システムの動作を示すフローチャートである。
制御手段１００は、予め設定された夜間沸上げタイミングとなると（ステップＳ１）、湯張り前の追焚きが行われるか否かを予測する（ステップＳ２）。制御手段１００は、湯張り前の追焚きが行われると予測した場合（ステップＳ３でＹＥＳ）、沸上げ温度を予め設定された高温に設定する（ステップＳ４）。制御手段１００は、湯張り前の追焚きが行われないと予測した場合（ステップＳ３でＮＯ）、沸上げ温度を予め設定された中温に設定する（ステップＳ５）。そして、制御手段１００は、沸上げ温度が、設定した沸上げ温度となるように沸上げ手段２を制御して沸上げ動作を行う（ステップＳ６）。
【００６６】
夜間沸上げ動作の完了のタイミングは、沸上げ温度を中温に設定した場合は、タンク１内全体又は所定の領域の水を、中温まで上昇させたことを以て完了としてもよいし、タンク１内の蓄熱量が湯切れ回避用必要熱量に達したことを以て完了としてもよい。また、夜間沸上げ動作の完了のタイミングは、沸上げ温度を高温に設定した場合は、タンク１内全体又は所定の領域の水を、高温まで上昇させたことを以て完了としてもよいし、タンク１内の蓄熱量が追焚き用必要熱量に達したことを以て完了としてもよい。
【００６７】
このように、本実施の形態１では、湯張り前の追焚きが行われないと予測される場合には、夜間沸上げ時における沸上げ温度を中温にすることで、高温に一律に設定する場合に比べて消費電力の低減を図ることができる。
【００６８】
［湯張り前の追焚きが行われるか否かの予測方法］
湯張り前の追焚きが行われるか否かの予測には、例えば以下の（１）〜（３）の方法を用いることができる。図３のタイムチャートの例で予測方法を説明する。なお、以下の例は一例であって以下の方法に限られたものではない。
【００６９】
（１）ＡＭ３時の夜間沸上げ時において浴槽６の水位が予め設定された設定水位以下であれば、湯張り前の追焚きが行われないと予測する。
（２）ＡＭ３時の夜間沸上げ時において浴槽６の水位が高くても、入浴目的ではなく、洗濯用水目的の可能性もある。よって、前夜の例えばＰＭ１１時等、前夜の入浴完了後と考えられる予め設定した設定時刻から、ＰＭ９時の湯張りまでの間の追焚き負荷を学習する機能を用いて、以下のようにして予測する。すなわち、ＡＭ３時の夜間沸上げ時において、過去所定期間（例えば、１週間）の学習結果が、予め設定した設定負荷以下であれば、湯張り前の追焚きは行われないと予測する。
（３）浴槽６の排熱を回収した後に再度浴槽６を追焚きすることは、省エネに反するため行われないという考えの基、浴槽６の排熱回収が行われたか否かを用いて予測する。つまり、ＡＭ３時の夜間沸上げ時に、排熱回収回路３０を用いた浴槽６の排熱回収が既に実施済みであれば、例え浴槽６の水位が高く残っていても、湯張り前の追焚きは行われないと予測する。
【００７０】
［沸上げ温度：高温の決め方］
湯張り前の追焚きが行われる場合の沸上げ温度の高温は、上述したように例えば６５℃等の予め決められた温度としてもよいし、学習結果を用いて決めてもよい。以下、学習結果を使用した高温の決め方の一例について説明する。
【００７１】
制御手段１００は、夜間沸上げを行ってから湯張りが行われるまでの時間帯、例えば夜間沸上げが終了したＡＭ７時からＰＭ９時の湯張りまでの１４時間の間に、追焚きが１〜数回行われたとして、その各「湯張り前の追焚き」の負荷の合計値を、毎日学習しておく。そして、過去一週間の学習値のうちの最大値が３０００ｋｃａｌであったとする。本実施の形態１では、タンク１内において追焚き用の熱量を蓄える領域をタンク上部領域としており、タンク上部領域の容量が１００Ｌであるとする。このタンク上部領域に、追焚き用の熱量が蓄えられるように「高温」を決める。
【００７２】
３０００ｋｃａｌの追焚き負荷を、タンク上部領域の１００Ｌで賄うという条件では、追焚き負荷を賄った後のタンク上部領域の湯の温度は、追焚き負荷を賄う前の温度から３０℃下がることになる。この３０００ｋｃａｌが、浴槽６の温度を例えば４０℃に維持するために消費されるとした場合、沸上げ温度の「高温」には、４０℃より最低でも３０℃高い７０℃が設定される。沸上げ温度を７０℃にして夜間沸上げを行っておくことで、湯張り前の追焚き時に、湯切れが生じることを抑制できる。なお、追焚き熱交換器５の放熱によるロス、及び、追焚きを迅速に実施することを考慮して、７０℃から更に例えば５℃程度高い７５℃を「高温」に設定してもよい。
【００７３】
なお、追焚き用の熱量を蓄えるタンク内の領域を中間導出配管３０３ｂより高いタンク上部領域としたのは、以下の理由による。中間導出配管３０３ｂより低いタンク下部領域は、上述したように給湯負荷に優先的に使用される。このため、タンク下部領域に追焚き用の熱量を蓄えたのでは、せっかく低ＣＯＰで高温水を準備したにもかかわらず、中温水で足りる給湯用途に消費されてしまう。これを回避しながら、最大限低い沸上げ温度で追焚き負荷を賄うため、追焚き用の熱量を蓄える領域をタンク上部領域としている。
【００７４】
［湯張り前の追加沸上げ］
ユーザーの給湯負荷状況によってはタンク１の湯水が不足し、追加で沸上げ動作が必要となる。このような追加沸上げの場合も、湯張り前であれば、前記の夜間沸上げと同様の方法で沸上げ温度を決定する。つまり、湯張り前の追焚きが行われるかの予測結果に応じて、沸上げ温度を中温又は高温に決定する。湯張り前の追焚きが行われるかの予測は、上述の（１）〜（３）の方法で行われる。このため、追加沸上げを行うタイミングでの予測結果は、夜間沸上げ時の予測結果とは同じとは限らず、現時点での予測結果に応じた沸上げ温度が決定されることになる。
【００７５】
［湯張り後の追加沸上げ］
湯張りが行われた場合は、湯張り後に予想される追焚き負荷を賄うために、タンク上部領域に高温水を沸上げる沸上げ動作を行う。制御手段１００は、湯張り後に予想される追焚き負荷を、タンク上部領域の容量で賄うという条件で求めた温度に基づいて、湯張り後に追加沸上げを行う際の沸上げ温度を決定する。
【００７６】
例えば、ＰＭ９時の湯張りからＰＭ１１時までの２時間の間の追焚き負荷が１０００ｋｃａｌであったとする。この１０００ｋｃａｌの追焚き負荷をタンク上部領域の１００Ｌで賄うと、追焚き負荷を賄った後のタンク上部領域の湯の温度は、追焚き負荷を賄う前の温度から１０℃下がることになる。したがって、追焚き負荷の１０００ｋｃａｌが、浴槽６の温度を例えば４０℃に維持するために消費されるとした場合、４０℃より最低でも１０℃高い５０℃を、沸上げ温度に設定する。沸上げ温度を５０℃にして、湯張り後に沸上げ動作を行っておくことで、湯張り後の追焚きの際に、湯切れが生じることを抑制できる。なお、追焚き熱交換器５の放熱によるロス、及び、追焚きを迅速に実施することを考慮して、５０℃から例えば更に５℃程度高い５５℃を、湯張り後の追加沸上げ時の沸上げ温度に設定してもよい。
【００７７】
≪作用効果≫
以上のように本実施の形態１は、タンク１に溜めた湯の浴槽６内への湯張りと、浴槽６の浴槽６水の追焚きとを行う貯湯式給湯システムである。貯湯式給湯システムは、水を沸上げ温度まで加熱して湯にし、湯をタンク内へ貯留する沸上げ回路２０と、制御手段１００とを備える。制御手段１００は、沸上げ回路２０を用いて夜間に行う夜間沸上げを行ってから湯張りが行われるまでの時間帯に追焚きが行われるか否か、つまり「湯張り前の追焚き」が行われるか否か、を予測した結果に基づいて、夜間沸上げ時における沸上げ温度を決定する。
【００７８】
このように、追焚きの発生状況の予測に応じて沸上げ温度を決定することで、追焚き時の湯切れを抑制できる。また、沸上げ温度を一定にする場合よりも、追焚きの発生状況の予測に応じて沸上げ温度を決定することで、沸上げ温度を適切に設定でき、消費電力の低減が可能となる。
【００７９】
また、上述したように、現在は夜間の電気代が昼間よりも安い料金制度となっているが、今後、電気代が一日一律の制度となる可能性が想定される。電気代が一日一律の制度となった場合、夜間に集中して蓄熱を行うことにメリットは無く、逆に沸上げ温度を高く設定することで消費電力が増大して好ましくない。本実施の形態１は、夜間沸上げ時の沸上げ温度をできるだけ低く設定する制御であるため、電気代が一日一律の制度となった場合にも、好適である。
【００８０】
実施の形態１において、制御手段１００は、「湯張り前の追焚き」が行われると予測した場合、沸上げ温度を高温に決定し、「湯張り前の追焚き」が行われないと予測した場合、沸上げ温度を高温よりも低い中温に決定する。
【００８１】
このように、「湯張り前の追焚き」が行われないと予測した場合、沸上げ温度を高温よりも低い中温に決定することで、沸上げ温度を高温に一律にする場合よりも、消費電力の低減が可能である。
【００８２】
実施の形態１において、中温とは、ユーザーの設定する給湯用設定温度に、予め設定した裕度を加えた温度である。
【００８３】
このように、ユーザーの設定する給湯用設定温度と予め設定した裕度とから中温を決定できる。
【００８４】
実施の形態１において、制御手段１００は、夜間沸上げ時において、浴槽６の水位が予め設定された水位以下の場合、「湯張り前の追焚き」は行われないと予測する。
【００８５】
このようにして、「湯張り前の追焚き」が行われるか否かを予測できる。
【００８６】
実施の形態１において、予め設定された設定時刻から湯張りまでの追焚き負荷を学習する機能を備え、夜間沸上げにおいて、追焚き負荷の学習結果が予め設定した設定負荷以下であれば、「湯張り前の追焚き」は行われないと予測する。
【００８７】
このようにして、「湯張り前の追焚き」が行われるか否かを予測できる。
【００８８】
実施の形態１において、浴槽６の排熱をタンク内に回収する排熱回収回路３０を備え、制御手段１００は、夜間沸上げ時において、排熱回収回路３０を用いた浴槽６の排熱回収が実施済みであれば、時間帯に追焚きは行われないと予測する。
【００８９】
このようにして、「湯張り前の追焚き」が行われるか否かを予測できる。
【００９０】
実施の形態１において、制御手段１００は、湯張り後に行う追加沸上げ時の沸上げ温度を、湯張り後に発生すると予測される追焚き負荷を、タンク１の上部領域の容量で賄うという条件で求めた温度に基づいて決定する。
【００９１】
これにより、追焚きの発生状況の予測に応じた、湯張り後の追加沸上げ時の沸上げ温度を決定でき、消費電力の低減が可能となる。
【００９２】
実施の形態２．
夜間に行われる沸上げ運転には、上述の夜間沸上げの他に、水中殺菌目的の高温沸上げがある。水中殺菌目的の高温沸上げは、殺菌温度以上の沸上げ温度で行われる沸上げである。
【００９３】
図５は、実施の形態２に係る貯湯式給湯システムにおける沸上げ動作を示すフローチャートである。
制御手段１００は、予め設定された夜間沸上げタイミングとなると（ステップＳ１１）、予め設定された殺菌処理タイミングであるかを判断する（ステップＳ１２）。殺菌処理タイミングには任意のタイミングを設定でき、例えば４日に１回又は毎週月曜といったように、所定期間に１回等に設定することができる。
【００９４】
制御手段１００は、殺菌処理タイミングでないと判断すると（ステップＳ１２でＮＯ）、ステップＳ１３〜ステップ１７の処理を行う。ステップＳ１３〜ステップＳ１７の処理は、図４に示した実施の形態１のステップＳ２〜ステップＳ６の処理と同様である。制御手段１００は、殺菌処理タイミングであると判断すると（ステップＳ１２でＹＥＳ）、湯張り前の追焚きが行われるか否かの予測結果に関わらず、沸上げ温度を殺菌温度に設定する（ステップＳ１８）。殺菌温度には、夜間沸上げ時の高温（例えば６５℃）以上の温度が設定される。そして、制御手段１００は、沸上げ温度が、設定した沸上げ温度となるように沸上げ手段２を制御して沸上げ動作を行う（ステップＳ１７）。
【００９５】
以上説明したように、本実施の形態２によれば、実施の形態１と同様の効果が得られると共に、以下の効果が得られる。すなわち、実施の形態２では、予め設定された殺菌処理タイミングとなると、湯張り前の追焚きが行われるか否かの予測結果にかかわらず、夜間沸上げ時に、殺菌温度以上の温度を沸上げ温度とした沸上げを行う。これにより、水中殺菌目的の高温沸上げを行うことができる。
【００９６】
なお、上記実施の形態１及び実施の形態２における各温度、時間及びタンク１の容量等の具体的数値は一例を示したに過ぎず、それらは実使用条件等に応じて適宜設定すればよい。
【符号の説明】
【００９７】
１  タンク、２  沸上げ手段、５  追焚き熱交換器、６  浴槽、２０  沸上げ回路、３０  排熱回収回路、３１  沸上げポンプ、３２  追焚きポンプ、３３  浴槽ポンプ、４１  湯栓温調弁、４２  中高温混合弁、４３  熱交換回路切替弁、１００  制御手段、１０１  目標温度設定手段、１０２  ポンプ制御手段、１０３  弁制御手段、１０４  沸上げ制御手段、１０５  蓄熱量算出手段、１０６  必要熱量予測手段、３０１ａ  沸上げ往き配管、３０１ｂ  沸上げ戻り配管、３０２  給水配管、３０３  高温導出配管、３０３ｂ  中間導出配管、３０４  温調配管、３０５  湯栓配管、３０６ａ  浴槽往き配管、３０６ｂ  浴槽戻り配管、３０７ａ  追焚き往き配管、３０７ｂ  追焚き戻り配管、３０７ｃ  排熱回収用配管、５０１ａ  貯湯温度センサ、５０１ａ〜５０１ｆ  貯湯温度センサ、５０２  沸上げ温度センサ、５０３ａ  上部導出温度センサ、５０３ｂ  中間導出温度センサ、５０４  給水温度センサ、５０５  湯栓温度センサ、５０６ａ  浴槽往き温度センサ、５０６ｂ  浴槽戻り温度センサ、５０７  追焚き戻り温度センサ、６０１  湯栓流量センサ。
【図１】
2020169730.tif 000003
【図２】
2020169730.tif 000004
【図３】
2020169730.tif 000005
【図４】
2020169730.tif 000006
【図５】
2020169730.tif 000007